(57)【要約】【課題】万一の作業者の墜落を阻止できる安全手摺を提供する。【解決手段】両建枠４，４の横架材間に足場板６を架け渡しながら多段状に組み立てられる枠組足場に取り付ける安全手摺であって、夫々鋼管製の左右縦枠１１、上下横枠１２，１３及び中桟１５により形成され、両建枠４，４の対向する脚柱１，１間に配置される手摺本体７と、手摺本体７を脚柱１に取り付ける取付手段Ｂとからなる安全手摺において、手摺本体７の左右各縦枠１１の所要部を補強する補強部材５を縦枠１１に取り付けることにより、作業者Ｍの身に付ける安全帯ＡのフックＦを手摺本体７の上横枠１２に取り付けた状態で上横枠１２側に手摺内側方向の所定の衝撃引張荷重が作用した時に、手摺本体７の縦枠１１が補強部材５で補強された縦枠部分の上端近傍から手摺内側へ折れ曲がるようにした。【選択図】図６
2006328652.tif 000002
【特許請求の範囲】
【請求項１】
両側一対の脚柱と両脚柱の上端部をつなぐ横架材とからなる建枠を対向させて両建枠の横架材間に足場板を架け渡しながら多段状に組み立てられる枠組足場に取り付ける安全手摺であって、夫々鋼管製の左右縦枠、上下横枠及び中桟によって形成され、両建枠の対向する脚柱間に配置される手摺本体と、この手摺本体を両建枠の対向する脚柱に着脱自在に取り付ける取付手段とからなる安全手摺において、
手摺本体の左右各縦枠の所要部を補強する補強部材を縦枠に取り付けることによって、作業者の身に付ける安全帯のフックを手摺本体の上横枠に取り付けた状態でこの上横枠側に手摺内側方向の所定の衝撃引張荷重が作用した時に、手摺本体の縦枠が補強部材で補強された縦枠部分の上端近傍から手摺内側へ折曲変形するようにしたことを特徴とする安全手摺。
【請求項２】
取付手段は、手摺本体の各縦枠の中間部に設けられ、建枠の横架材に掛止される位置決め用フックと、各縦枠の下端部に設けられ、手摺本体を建枠の脚柱の上部側に固定する下部固定金具と、各縦枠の上端部に設けられ、手摺本体を上段側建枠の脚柱に固定する上部固定金具とからなるもので、位置決め用フックは前記補強部材に固着されていることを特徴とする請求項１に記載の安全手摺。
【請求項３】
手摺本体の左右各縦枠と上横枠とのコーナー側所要部には、作業者の身に付ける安全帯のフックを手摺本体の上横枠に取り付けた状態でこのフックに手摺内側方向の所定の衝撃引張荷重が作用した時にフックが破損しないように保持するために、手摺本体の縦枠、上横枠よりも曲げ強度の弱い鋼材からなる斜材を取り付けたことを特徴とする請求項１又は２に記載の安全手摺。
【発明の詳細な説明】
【技術分野】
【０００１】
本発明は、建設作業現場で枠組足場を多段状に組み立てる際に、既設の下段側足場板から、新設した上段側足場板の先行仮設手摺として取り付ける安全手摺に関する。
【背景技術】
【０００２】
従来のこの種の安全手摺として、例えば特許文献１に記載されたものがある。この安全手摺は、両側一対の脚柱と両脚柱の上端部をつなぐ横架材とからなる門形の建枠を対向させて両建枠の横架材間に足場板を架け渡しながら多段状に組み立てられる枠組足場に取り付ける安全手摺であって、左右縦枠、上下横枠及び縦横の中桟によって形成され、両建枠の対向する脚柱間に配置される手摺本体と、この手摺本体を両建枠の対向する脚柱に着脱自在に取り付ける取付手段とから構成される。
【０００３】
ところで、このような安全手摺は、使用時の安全を期するために、一定の使用基準に基づいて落下阻止性能試験を行い、この試験に適合したものしか使用できないようになっている。この落下阻止性能試験は、例えば図１０に示すように、枠組足場Ｋの足場用建枠４に安全手摺Ｔを取り付け、この安全手摺Ｔの所定位置に安全帯ＡのランヤードＹのフックＦを引っ掛け、ランヤードＹの他端に取り付けた８５ｋｇの重りＷを、安全手摺１から内側へ８０ｃｍ離れた所定高さ位置（足場板６から９０ｃｍの高さ位置）から落下させようとするもので、重りＷの落下を阻止できれば、その安全手摺Ｔの強度的に安全であって、使用可能としている。
【特許文献１】特開２００３−３４３０７９号公報
【発明の開示】
【発明が解決しようとする課題】
【０００４】
然るに、特許文献１に記載のような従来の安全手摺にあっては、上記のような落下阻止性能試験には十分耐えうる強度を持ちながら、上記重りＷを落下させた時に安全手摺１の取付部が足場用建枠４から外れて、落下するという問題があった。しかして、上記落下阻止性能試験における重りＷは作業者に相当するものであるから、重りＷの落下によって安全手摺１が取付部から外れて落下するということは、作業者が墜落することであるから、非常に致命的な問題である。
【０００５】
上記の問題を解決するためには、安全手摺１を足場用建枠４に取り付ける取付手段を極めて頑丈な構造のものにすることが考えられるが、そうすると、安全手摺の取付け作業に非常に手間がかかる上に、取付手段を特別に製作する必要があるためコストが非常に高くつくという別の問題が生じることになる。
【０００６】
本発明は、安全手摺の取付手段を特別に頑丈な構造にすることなく、普通のものを使用することができながら、落下阻止性能試験での重りの落下、即ち作業者の万一の墜落を確実に阻止することのできる安全手摺を提供することを目的とする。
【課題を解決するための手段】
【０００７】
上記課題を解決するための手段を、後述する実施形態の参照符号を付して説明すると、請求項１に係る発明は、両側一対の脚柱１，１と両脚柱１，１の上端部をつなぐ横架材２とからなる建枠４を対向させて両建枠４，４の横架材２，２間に足場板６を架け渡しながら多段状に組み立てられる枠組足場に取り付ける安全手摺であって、夫々鋼管製の左右縦枠１１，１１、上下横枠１２，１３及び中桟１４ａ，１４ｂによって形成され、両建枠４，４の対向する脚柱１，１間に配置される手摺本体７と、この手摺本体７を両建枠４，４の対向する脚柱１，１に着脱自在に取り付ける取付手段Ｂとからなる安全手摺において、手摺本体７の左右各縦枠１１の所要部を補強する補強部材５を縦枠１１に取り付けることによって、作業者Ｍの身に付ける安全帯ＡのフックＦを手摺本体７の上横枠１２に取り付けた状態でこの上横枠１２側に手摺内側方向の所定の衝撃引張荷重が作用した時に、手摺本体７の縦枠１１が補強部材５で補強された縦枠部分の上端近傍から手摺内側へ折曲変形するようにしたことを特徴とする。
【０００８】
請求項２は、請求項１に記載の安全手摺において、取付手段Ｂは、手摺本体７の各縦枠１１の中間部に設けられ、建枠４の横架材２に掛止される位置決め用フック１０と、各縦枠１１の下端部に設けられ、手摺本体７を建枠４の脚柱１の上部側に固定する下部固定金具８と、各縦枠１１の上端部に設けられ、手摺本体７を上段側建枠４の脚柱１に固定する上部固定金具９とからなるもので、位置決め用フック１０は前記補強部材５に固着されていることを特徴とする。
【０００９】
請求項３は、請求項１又は２に記載の安全手摺において、手摺本体７の左右各縦枠１１と上横枠１２とのコーナー側所要部には、作業者Ｍの身に付ける安全帯ＡのフックＦを手摺本体７の上横枠１２に取り付けた状態でこのフックＦに手摺内側方向の所定の衝撃引張荷重が作用した時にフックＦが破損しないように保持するために、手摺本体７の縦枠１１、上横枠１２よりも曲げ強度の弱い鋼材からなる斜材１５を取り付けたことを特徴とする。
【発明の効果】
【００１０】
上記解決手段による発明の効果を、後述する実施形態の参照符号を付して説明すると、請求項１に係る発明によれば、作業者Ｍが自分の身に付けた安全帯Ａの先端部を安全手摺Ｔの手摺本体７に取り付けた状態で作業をしている時に、作業者Ｍが足場板６から足を滑らせるなどして墜落状態となり、手摺本体７に、落下阻止性能試験の試験荷重に対応する手摺内側方向の所定の衝撃荷重がかかると、手摺本体７の縦枠１１は、補強部材５により補強された縦枠部分の上端近傍、即ち縦枠１１の断面形状が変化する部位から手摺本体７の内側へ折れ曲がって変形し、これによって作業者Ｍの墜落を阻止することができる。
【００１１】
請求項２に係る発明によれば、位置決め用フック１０を補強部材５に固着することによって、位置決め用フック１０を手摺本体７の縦枠１１に対し強固に固定することができ、手摺本体７に所定の衝撃荷重がかかった時の、補強部材５で補強された縦枠部分の上端近傍からの縦枠１１の折曲変形をより的確なものとすることができる。
【００１２】
請求項３に係る発明によれば、作業者Ｍが自分の身に付けた安全帯ＡのフックＦを、手摺本体７の上横枠１２の、斜材１５より内方側に取り付けた状態で作業をしている時に、作業者Ｍが足場板６から足を滑らせるなどして墜落状態となって、安全帯ＡのフックＦに、妻側落下試験の試験荷重に対応する手摺内側方向で手摺妻側端から外方への所定の衝撃引張荷重が作用すると、フックＦは、上横枠１２に沿ってその端部側へスライドするが、そのスライド途上で斜材１５に引っ掛かって、それ以上のスライドを阻止され、そのため上記衝撃引張荷重が斜材１５に作用して、枠１１，１２よりも曲げ強度の弱い斜材１５を変形させる。この斜材１５の変形によって、フックＦが斜材１５に引っ掛かる時の衝撃を緩和され、それによりフックＦは、破損することなく従って口を開くことなく、斜材１５に引っ掛かった位置に正常状態で保持され、作業者Ｍの墜落を阻止することができる。
【発明を実施するための最良の形態】
【００１３】
以下に本発明の好適な実施形態を図面に基づいて説明すると、図１の(a) 及び(b) は本発明に係る安全手摺Ｔの取付方法を示す説明斜視図であり、図２の(a) は同安全手摺Ｔの正面図、(b) は平面図、(c) は側面図であり、図３の(a) は図２の(a) の矢印イで示す部分の拡大図、(b) はその平面図である。枠組足場は、図１に示すように、両側一対の脚柱１，１と両脚柱１，１の上端部をつなぐ横架材２と補強枠３とからなる門形の建枠４を、一定間隔に対向配置し、両建枠４，４の対向する横架材２，２間に足場板６を架け渡すと共に、両脚柱１，１間に一対のブレースＣ，ＣをＸ形に架け渡しながら順次多段状に組み立てられるようになっている。
【００１４】
この枠組足場に取り付けられる本発明の安全手摺Ｔは、図２の(a) から分かるように、夫々鋼管製の左右縦枠１１，１１、上下横枠１２，１３、横中桟１４ａ及び縦中桟１４ｂ，１４ｂによって形成され、両建枠４，４の対向する脚柱１，１間に配置される手摺本体７と、この手摺本体７を両建枠４，４の対向する脚柱１，１に夫々着脱自在に取り付ける取付手段Ｂとからなる。取付手段Ｂは、手摺本体７の各縦枠１１の中間部に取り付けられ、建枠４の横架材２に掛止される位置決め用フック１０と、手摺本体７の各縦枠１１，１２の下端部に取り付けられ、手摺本体７を建枠４の脚柱１の上部側に固定する下部固定金具８と、各縦枠１１の上端部に設けられ、同手摺本体７を上段側建枠４の脚柱１の下部側に固定する上部固定金具９とによって構成される。
【００１５】
そして、手摺本体７の左右各縦枠１１には、図２の(a) 及び図３から分かるように、縦枠１１の中間部を所要長さに亘って補強する補強部材５が取り付けられていて、図６に示すように作業者Ｍの身に付けた安全帯Ａの先端部を安全手摺Ｔの手摺本体７の上横枠１２に取り付けた状態でこの手摺本体７に手摺内側方向の所定の衝撃荷重がかかった時に、手摺本体７の縦枠１１が、図２の(c) に示すように補強部材５で補強された部分の上端近傍部位から手摺内側へ折れ曲がって変形するようになっている。
【００１６】
また、手摺本体７の各縦枠１１と上横枠１２とのコーナー側所要部には、作業者Ｍの身に付ける安全帯ＡのフックＦを手摺本体７の上横枠１２に取り付けた状態でこのフックＦに手摺内側方向の所定の衝撃引張荷重が作用した時にフックＦが破損しないように保持するために、手摺本体７の縦枠１１、上横枠１２よりも曲げ強度の弱い鋼材からなる斜材１５が一体的に取り付けられている。
【００１７】
前記安全帯Ａは、図６に示すように、長さ１．７ｍのランヤードＹと、このランヤードＹの一端部に設けてあって、作業者Ｍの胴ベルトＮに取り付けるための取付リングＲと、ランヤードＹの先端部に設けられて、安全手摺Ｔに引っ掛けられるフックＦとからなる。フックＦは、図７に示すように、フック本体ｆ１と、このフック本体ｆ１が係脱自在な外れ止め装置ｆ２とからなる。また、安全帯ＡのフックＦの取付位置は、図６に示すように手摺本体７の上横枠１２における斜材５の取付位置の内方側となっている。
【００１８】
尚、手摺本体７の寸法を参考までに例示すれば、縦枠１１及び上下横枠１２，１３は、夫々直径が約２７ｍｍの鋼管からなるもので、縦枠の長さが約１４００ｍｍ、上下各横枠１２，１３の長さが約１６００ｍｍであり、中桟１４ａ，１４ｂは夫々直径が約２０ｍｍの鋼管からなり、斜材１５は、縦枠１１及び上横枠１２より曲げ強度の弱い直径８ｍｍの鉄筋等の丸棒在からなり、そして補強部材５の長さは、例えば１６８ｍｍとされる。
【００１９】
前記補強部材５は、図３の(a) ，(b) 及び図４の(a) に示すように、手摺本体７の各縦枠１１の左右両側面に係合する両側一対断面円弧状の形鋼材５ａ，５ａからなるもので、各円弧状形鋼材５ａは溶接によって縦枠１１に固着され、図３の(a) ，(b) にはその溶接部をＷで示す。そして、この両側一対の形鋼材５ａ，５ａの片方の形鋼材５ａの下端部に位置決め用フック１０の取付アーム１０ａが溶接によって固着され、図３の(a) ，(b) にその溶接部をＷで示す。尚、図３の(a) ，(b) と図４の(a) とは同じ補強部材５を示したものである。
【００２０】
図４の(b) 〜(e) 及び図５の(a) 〜(d) は補強部材５の種々の例を示す。図４の(b) に示す補強部材５は、縦枠１１の左右何れかの側面に係合する一つの断面円弧状形鋼材からなるもので、図示は省略するが、溶接によって縦枠１１に一体的に固着されている。(c)
に示す補強部材５は、縦枠１１の外側面全周に係合する円環状鋼材からなるもので、溶接によって縦枠１１に一体的に固着されている。この円環状鋼材は、一体物（パイプ状）でもよいし、二つ割りした物でもよい。(d) に示す補強部材５は、縦枠１１の左右両側面に当接する両側一対の断面内向きコ字状形鋼材５ａ，５ａからなるもので、各内向きコ字状形鋼材５ａは溶接により縦枠１１に一体的に固着されている。(e) に示す補強部材５は、縦枠１１の左右両側面に当接する両側一対の断面外向きコ字状形鋼材５ａ，５ａからなるもので、各外向きコ字状形鋼材５ａは溶接により縦枠１１に一体的に固着されている。
【００２１】
図５の(a) に示す補強部材５は、縦枠１１の左右両側面に当接する両側一対の断面Ｌ字状形鋼材５ａ，５ａからなるもので、各Ｌ字状形鋼材５ａは溶接により縦枠１１に一体的に固着されている。(b) に示す補強部材５は、縦枠１１の左右両側面に当接する両側一対の平板状鋼材５ａ，５ａからなるもので、各平板状鋼材５ａは溶接により縦枠１１に一体的に固着されている。(c) に示す補強部材５は、縦枠１１の片側の側面に当接する、縦枠１１と同様な円管材からなるもので、この円管材は溶接によって縦枠１１に一体的に固着されている。また、(d) に示す補強部材５は、縦枠１１の左右両側面に当接する両側一対の山形状形鋼材５ａ，５ａからなるもので、各山形状鋼材５ａは溶接によって縦枠１１に一体的に固着されている。
【００２２】
取付手段Ｂのフック１０は、図３の(a) ，(b) に示すように、取付アーム１０ａの先端部下側に、建枠４の横架材２に上方より嵌合係止するフック部１０ｂを形成し、且つ取付アーム１０ａの先端部上側に、安全手摺Ｔ２の取り付け又は取り外し時に安全手摺Ｔを逆様にした状態で建枠４の横架材２に嵌合係止するフック部１０ｃを形成してなるもので、取付アーム１０ａの基端部は、補強部材５又は５ａの下端部側に溶接によって固着されている。このように位置決め用フック１０を補強部材５に溶接して固着すれば、位置決め用フック１０を手摺本体７の縦枠１１に対し強固に固定することができて、手摺本体７に所定の衝撃荷重がかかった時の、補強部材５で補強された縦枠部分の上端近傍からの縦枠１１の折曲変形をより的確なものとすることができる。
【００２３】
下部固定金具８と上部固定金具９とは同じ構造で、詳細な構造を図８〜図１０に示す。図８の(a) は図２の(a) の矢印ロで示す部分の拡大図で、固定金具８，９が固定位置にある時の正面図であり、(b) はその平面図であり、また(c) は固定金具８，９が収納位置にある時の正面図である。図９は図８の(b) のハ−ハ線拡大断面図であり、図１０はロック手段１９のバネ２０（第１バネ３１と第２バネ３２とからなる）を示す斜視図である。
【００２４】
図８及び図９を参照すると、各固定金具８，９は、手摺本体７の縦枠１１に固着された取付部材１６と、建枠４の脚柱１に係脱自在に係合する脚柱係合部１７を一端部に有し、脚柱係合部１７が脚柱１に係合する固定位置と脚柱係合部１７が脚柱１から離脱して手摺本体７の縦枠１１に沿うように折り畳み収納される収納位置との間で回動可能に取付部材１６に枢軸２８によって枢着された回動部材１８と、この回動部材１８を固定位置及び収納位置にロックするロック手段１９とによって構成される。回動部材１８の他端部、即ち脚柱係合部１７と反対側の端部には、固定位置において手摺本体７の縦枠１１に係合し、収納位置において手摺本体７の縦枠１１から離脱する縦枠係合部２５が設けてある。
【００２５】
各固定金具８，９のロック手段１９は、取付部材１６と回動部材１８との互いの摺接面部の一方側に係合突片２１をバネ２０（第１バネ３１と第２バネ３２とからなる）によって他方の摺接面部側に弾接するように設けると共に、他方の摺接面部側に、回動部材１８が回動して固定位置及び収納位置に来た時に係合突片２１が係合して回動部材１８を固定位置及び収納位置に夫々ロックする固定位置用ロック孔２２Ａと収納位置用ロック孔２２Ｂとを設けたものからなる。
【００２６】
取付部材１６は、両側板１６ａ，１６ａとこれらをつなぐ連結板１６ｂとにより下向きコ字状に形成されたもので、両側板１６ａ，１６ａの一端側が手摺本体７の各縦枠１１に固着され、両側板１６ａ，１６ａの夫々先端部には下部側に枢軸挿通孔（図示せず）が、上部側には図９に示すように貫通孔２４が設けてある。回動部材１８は、図８に示すように、両側板１８ａ，１８ａと背板１８ｂとからなるもので、その先端部に脚柱係合部１７が連設されており、両側板１８ａ，１８ａには夫々の中央部に枢軸挿通孔２６が設けられ、この枢軸挿通孔２６を中心とする一定半径上の夫々所定位置に固定位置用ロック孔２２Ａと収納位置用ロック孔２２Ｂとが９０°の角度間隔で設けられている。また、背板１８ｂの後端側に手摺本体７の縦枠１１に係合する円弧状凹部からなる縦枠係合部２５が形成してある。脚柱係合部１７は、脚柱１の前後両側面部を把持する把持板部１７ａ，１７ａと、脚柱１の左右側面部に係合する上下係合部１７ｂ，１７ｂとからなり、一方の把持板部１７ａにはロック用のボルト２３が取り付けてある。
【００２７】
上記ロック手段１９のバネ２０は第１バネ３１と第２バネ３２とによって構成される。図１０に示すように、第１バネ３１は、基板部３１ａの両端部から両側板３１ｂ，３１ｂを末広がり状に延出した台形枠状の幅広板バネからなるもので、両側板３１ｂ，３１ｂには枢軸挿通孔２７が設けられている。第２バネ３２は、基板部３２ａの両端部から両側板３２ｂ，３２ｂを末広がり状に延出した台形枠状の幅狭板バネからなるもので、両側板３２ｂ，３２ｂの夫々先端側に、外側方へ突出する係合突片２１，２１がプレス加工により一体形成され、各係合突片２１の先端部は半球状を成している。
【００２８】
上記固定金具８，９を組み立てるには、先ず、台形枠状の幅広板バネからなる第１バネ３１に、台形枠状の幅狭板バネからなる第２バネ３２を、図１０に示すように両側板３２ｂ，３２ｂが両側板３１ｂ，３１ｂを横方向から挟み付けるように嵌合し、この状態で両バネ３１，３２を、手摺本体７の縦枠１１に固着された取付部材１６の両側板１６ａ，１６ａ間に配置して、第２バネ３２の両側板３２ｂ，３２ｂにある両係合突片２１，２１を取付部材１６の両側板１６ａ，１６ａの貫通孔２４，２４に貫通させると共に、両係合突片２１，２１の先端部分を、回動部材１８の両側板１８ａ，１８ａに設けられた例えば固定位置用ロック孔２２Ｂ，２２Ｂに係合させる。これによって、第２バネ３２の両側板３２ｂ，３２ｂが圧縮されて略平行に位置し、これに伴って第１バネ３１の両側板３１ｂ，３１ｂも圧縮され、図９に示す状態となる。
【００２９】
それから第１バネ３１の両側板３１ｂ，３１ｂに設けられた枢軸挿通孔２７，２７と、取付部材１６の両側板１６ａ，１６ａに設けられた枢軸挿通孔（図示せず）と、回動部材１８の両側板１８ａ，１８ａに設けられた枢軸挿通孔２６，２６とを同軸に位置させて、これらの枢軸挿通孔にボルトからなる枢軸２８を挿通し、そのボルトの挿通端部にナット２９を螺合することにより、固定金具８，９の組立が完了し、図８の(a) 〜(c) に示すような状態となる。
【００３０】
図８の(c) は、第１バネ３１及び第２バネ３２を介して取付部材１６側に取り付けられた係合突片２１が回動部材１８側の収納位置用ロック孔２２Ａに係合して、回動部材１８を収納位置にロックした状態を示す。この収納位置では回動部材１８の長手方向が手摺本体７の縦枠１１の長手方向と平行になり、回動部材１８の後端側の脚柱係合部１７が上向きとなり、その先端側の縦枠係合部２５が下向きとなる。この図８の(c) に示すように収納位置において上向き状態にある回動部材１８の脚柱係合部１７に対し、作業者が手作業で回転力を与えると、回動部材１８側の収納位置用ロック孔２２Ａに係合している係合突片２１の先端半球状部分２１ａが、第１バネ３１及び第２バネ３２の付勢力に抗して収納位置用ロック孔２２Ａから離脱して回動部材１８の側板１８ａの内側面に乗り上げ、この側板１８ａの内側面に弾接した状態で、回動部材１８は図１０の(c) に関して半時計回りに回動する。
【００３１】
そして、回動部材１８を図８の(c) に示す収納位置から９０°回動させることにより、回動部材１８の脚柱係合部１７が建枠４の脚柱１に係合すると同時に、縦枠係合部２５が手摺本体７の縦枠１１に係合し、同時にまた係合突片２１の先端部分が回動部材１８の固定位置用ロック孔２２Ｂに係合し、これにより回動部材１８は収納位置から固定位置に位置変更されると同時に固定位置にロックされて、図８の(a) ，(b) に示すような状態となる。
【００３２】
上記のように構成される安全手摺Ｔの使用方法について説明するならば、先ず、図１の(a) に示すように、一対の建枠４，４を対向配置し、両建枠４，４の対向する脚柱１，１間にブレースＣ，ＣをＸ状に掛張した後、両建枠４，４に安全手摺Ｔを取り付け、その後に両建枠４，４の対向する横架材２，２に足場板６を架け渡して、１段目足場を組み立てる。安全手摺Ｔの取付けにあたっては、取付手段Ｂの上下固定金具８，９を何れも、図８の(c) に示すように回動部材１８を手摺本体７の縦枠１１に沿って折り畳んだ収納位置にセットして、ロック手段１９によりロックした状態で、手摺本体７の両側の位置決め用フック１０，１０を、図１の(a) 及び図２の(a) に示すように両建枠４，４の対向する横架材２，２に引っ掛けて、手摺本体７の位置を決定する。
【００３３】
上記のようにして位置決め用フック１０，１０を両建枠４，４の対向する横架材２，２に引っ掛けて位置決めしたならば、各下部固定金具８の回動部材１８を固定位置へ回動操作して、回動部材１８の一端部の脚柱係合部１７を建枠４の脚柱１に係合させると共に、他端部の縦枠係合部２５を手摺本体７の縦枠１１に係合し、同時にまたロック手段１９によって回動部材１８を固定位置にロックし、これによって各下部固定金具８を１段目足場用建枠４の脚柱１に固定する。
【００３４】
次に、図１の(a) に示すような１段目足場の足場板１に昇って、１段目側建枠４，４に２段目側の建枠４，４を夫々継ぎ足し、そして未だ固定していなかった安全手摺Ｔの上部固定金具９，９を、上述した下部固定金具８の場合と同様な方法で２段目側建枠４，４の脚柱１に固定し、この２段側建枠４，４の対向する脚柱１，１間にブレースＣ，ＣをＸ状に掛張して、図１の(b) に示すような状態とする。
【００３５】
この２段目足場の組立作業は、１段目足場の足場板６の上で行うことになるが、この２段目足場には、下部固定金具８によって建枠４の脚柱１の上部側に固定して安全手摺Ｔの上側半分以上が足場板６より上方に突出しているから、作業を安全に行うことができる。また、安全手摺Ｔの手摺本体７は、上下の固定金具８，９により、１段目足場の建枠４，４と２段目足場の建枠４，４とに亘って確実強固に固定されることになる。
【００３６】
そして、この２段目足場には、両建枠４，４の対向する横架材２，２に足場板６を架け渡した後、両建枠４，４に安全手摺Ｔを上述した１段目の場合と同様にして取り付ける。以降は、上記同様な方法によって安全手摺Ｔを設置しながら、多段状に足場を組み上げてゆく。尚、この実施形態では、図面の表示が複雑になる関係上、両側一対の建枠４，４に足場板６を架け渡した最小限の足場を図示すると共に、この足場の手前側にのみ安全手摺Ｔを設置した状態を示しているが、実際には、足場は水平方向に連続スパンで連設され、また安全手摺Ｔは各足場の手前側と奥側の両側に設置されるものである。
【００３７】
上記のようにして足場用建枠４に安全手摺Ｔを取り付けた枠組足場の上で作業をする時に、作業者Ｍは、図６に示すように、安全帯Ａの一端部を自身の胴ベルトＮに取り付けると共に、その先端部をフックＦ介して安全手摺Ｔの手摺本体７に取り付けて作業を行う。この安全帯Ａは、ランヤードＹと、このランヤードＹの一端部に設けてあって、作業者Ｍの胴ベルトＮに取り付けるための取付リングＲと、ランヤードＹの先端部に設けてあり、手摺本体７の上横枠１２に引っ掛けられるフックＦとからなる。このフックＦの取付位置は、図６から分かるように、手摺本体７の上横枠１２における斜材１５の内方側となっている。
【００３８】
こうして作業者Ｍが自分の身に付けた安全帯ＡのフックＦを手摺本体７に取り付けた状態で作業をしている時に、作業者Ｍが足場板６から足を滑らせるなどして墜落状態となって、手摺本体７に、落下阻止性能試験の試験荷重に対応する手摺内側方向の衝撃荷重がかかると、手摺本体７に、落下阻止性能試験の試験荷重に対応する手摺内側方向の所定の衝撃荷重がかかると、手摺本体７の縦枠１１は、図２の(c) に仮想線で示すように、補強部材５により補強された部分の上端近傍、即ち縦枠１１の断面形状が急に変化する部位から手摺本体７の内側へ折れ曲がって変形し、これによって作業者Ｍの墜落を阻止することができる。
【００３９】
このように上横枠１２に安全帯ＡのフックＦが取り付けられた状態で手摺本体７に落下阻止性能試験の試験荷重に対応する手摺内側方向の所定の衝撃荷重がかかった時に手摺本体７の縦枠１１が補強部材５により補強された部分の上端近傍部位から折れ曲がるのは、縦枠１１の上部側の補強されていない縦枠部分と、補強部材５により補強されている縦枠部分との境界部分は、断面形状が急変する部分であるため、この部分に大きな曲げ応力が発生し、この部分から手摺本体７の縦枠１１が内側へ折曲変形することになる。因みに、縦枠１１の所要部が補強部材５によって補強されていない場合には、手摺本体７は、取付手段Ｂである上下固定金具８，９のところから外れて落下するおそれがあり、非常に危険を事態をまねくことになる。
【００４０】
また、手摺本体７には、左右各縦枠１１と上横枠１２とのコーナー側所要部に、縦枠１１、上横枠１２よりも曲げ強度の弱い鋼材からなる斜材１５を取り付けていることから、作業者Ｍが自分の身に付けた安全帯ＡのフックＦを、手摺本体７の上横枠１２の、斜材１５より内方側に取り付けた状態で作業をしている時に、作業者Ｍが足場板６から足を滑らせるなどして墜落状態となって、安全帯ＡのフックＦに、妻側落下試験の試験荷重に対応する手摺内側方向で手摺妻側端から外方への所定の衝撃引張荷重が作用すると、フックＦは、上横枠１２に沿ってその端部側へスライドするが、そのスライド途上で斜材１５に引っ掛かって、それ以上のスライドを阻止され、そのため上記衝撃引張荷重が斜材１５に作用して、枠１１，１２よりも曲げ強度の弱い斜材１５を変形させる。この斜材１５の変形によって、フックＦが斜材１５に引っ掛かる時の衝撃を緩和され、それによりフックＦは、破損することなく従って口を開くことなく、斜材１５に引っ掛かった位置に正常状態で保持され、作業者Ｍの墜落を阻止することができる。
【図面の簡単な説明】
【００４１】
【図１】(a) 及び(b) は本発明に係る安全手摺の取付方法を説明する説明斜視図である。
【図２】(a) は同安全手摺の正面図、(b) は平面図、(c) は側面図である。
【図３】(a) は図２の(a) の矢印イで示す部分の拡大図、(b) は平面図である。
【図４】(a) 〜(e) は補強部材の種々の例を示すもので、上側は各補強部材の取付状態の横断面図、その下側は取付状態の正面図である。
【図５】(a) 〜(d) は補強部材の他の種々の例を示し、上側は各補強部材の取付状態の横断面図、その下側は取付状態の正面図である。
【図６】(a) は安全手摺に安全帯を取り付けた状態を示す正面図である。
【図７】手摺本体に取り付けた斜材の作用を説明する説明図である。
【図８】(a) は図２の(a) の矢印ロで示す部分の拡大図で、上下各固定金具が固定位置にある状態を示し、(b) はその平面図であり、(c) は上下各固定金具が収納位置にある状態での正面図である。
【図９】図８の(b) のハ−ハ線拡大断面図である。
【図１０】ロック手段の第１バネ及び第２バネを示す斜視図である。
【図１１】安全手摺の落下阻止性能試験の例を示す説明図である。
【符号の説明】
【００４２】
Ｔ            安全手摺
Ａ            安全帯
Ｆ            安全帯のフック
１            脚柱
２            横架材
４            足場用建枠
５            補強部材
５ａ          鋼材
６            足場板
７            手摺本体
Ｂ            取付手段
８            下部固定金具
９            上部固定金具
１０          位置決め用フック
１１          手摺本体の縦枠
１２，１３    手摺本体の上下横枠
１４ａ        横中桟
１４ｂ        縦中桟
１５          斜材
【図１】
2006328652.tif 000003
【図２】
2006328652.tif 000004
【図３】
2006328652.tif 000005
【図４】
2006328652.tif 000006
【図５】
2006328652.tif 000007
【図６】
2006328652.tif 000008
【図７】
2006328652.tif 000009
【図８】
2006328652.tif 000010
【図９】
2006328652.tif 000011
【図１０】
2006328652.tif 000012
【図１１】
2006328652.tif 000013